(57)【要約】      （修正有）【課題】一対の耳部を有する剛性のある注射器圧縮空気用接続具の提供。【解決手段】注射器３６は、通常楕円形フランジ３８を含んでいる。注射器用圧縮空気接続具１０は、ボディ１２の耳部２６の間にフランジ３８の狭い幅の側を配置されて、注射器３６に取付けられ、その結果、シール２２は、注射器３６の開放端に挿入され、注射器３６の開放端はシールされる。注射器用圧縮空気接続具１０を回動させ、注射器３６の開放端をシールしながら、フランジ３８を複数の耳部２６と平面部２４との間で拘束する。圧縮空気は、外側係合部１６、ボア２０、内側係合部１８を通過して注射器３６内へ導入される。比較的広い平面部２４と比較的軟らかいパッド１４と一緒の耳部２６とにより、フランジ３８を横切る空気圧力を分担するのを助けることにより、注射器３６が空気圧力を受けた時、フランジ３８の破損を防止する。形成するいかなる異常事態をも収容することができる。【選択図】図１
2006006927.tif 000002
【特許請求の範囲】
【請求項１】
二つの略Ｕ字形耳部と連結した平面部を持つボディと、
少なくとも一つの前記耳部の周囲を伸びる比較的軟らかい一対のパッドと、を備える注射器圧縮空気用接続具。
【請求項２】
前記平面部から外側へ伸びる内側係合部と外側係合部とをさらに備え、内側係合部と外側係合部とは、ボアを介して流体が通過するように形成されている、請求項１に記載の注射器圧縮空気用接続具。
【請求項３】
二つの前記耳部の間に配置され、前記内側係合部により保持されたシールをさらに備える、請求項２に記載の注射器圧縮空気用接続具。
【請求項４】
パッドが耳部の上に成形された、請求項１に記載の注射器圧縮空気用接続具。
【請求項５】
二つの略Ｕ字形耳部と連結した平面部を持つボディと、
少なくとも一つの前記耳部の周囲に成形された比較的軟らかい一対のパッドと、を備え、
内側係合部と外側係合部が前記平面部から外側へ伸び、内側係合部と外側係合部とは、ボアを介して流体が通過するように形成されている、注射器圧縮空気用接続具。
【請求項６】
二つの前記耳部の間に配置され、前記内側係合部により保持されたシールをさらに備える、請求項５に記載の注射器圧縮空気用接続具。
【発明の詳細な説明】
【技術分野】
【０００１】
本発明は、一般的には注射器（スポイト）、特に粘弾性薬剤を使用する注射器に関する。
【背景技術】
【０００２】
手術時、特に眼の手術時に、手術部位へ種種の粘弾性薬剤が導入される。これらの薬剤は、注射器から手術部位へ搾り出されカニューレ（排管）を通じて排出される。粘弾性薬剤を搾り出すために注射器内で発生する圧力は、粘弾性薬剤が高粘度であるため非常に高くなる。ガラス製注射器は、比較的小さい壊れやすいフィンガーフランジを有する。高い搾り出し圧と壊れやすいフランジとの組合わせにより、粘弾性薬剤を使用する注射器は、壊れやすい傾向を持つ。米国特許第4,540,405号（Miller、他）および米国特許第5,876,379号（Beauvais、他）に開示されているような、粘弾性薬剤を使用する先行技術の注射器は、比較的小さい注射器に握りやすい拡大フランジが備えられているので、注射器を壊さないで十分な力で粘弾性薬剤を搾り出すことができる。しかし、近年、注射器から粘弾性薬剤を搾り出すために、手動式プランジャよりもむしろ圧縮空気を使用することが普通になってきている。これらの先行技術の注射器拡大フランジは、圧縮空気源との接続手段を備えていない。
【０００３】
従って、粘性剤を搾り出すための圧縮空気源との接続手段を備えることにより、ガラス製注射器から粘性剤を送出する自動化手段のニーズが存在し続けている。
【発明の開示】
【発明が解決しようとする課題】
【０００４】
本発明は、先行技術の注射器拡大フランジを改良するものであり、一対の耳部を有する剛性のある注射器圧縮空気用接続具を提供するものである。耳部は、比較的軟らかいエラストマ（ゴム状弾性体）で成形されている。ポートは、注射器の圧縮空気用接続具を通過して伸び、圧縮空気用接続具の両側の摩擦係合部に連結されている。外側係合部は、圧縮空気源との接続に適している。もう一方の内側係合部は、弾性シールを受け止めるように寸法と形状が設定されている。この弾性シールは、圧縮空気を密封シールするために注射器の開放端の中へ挿入されても良い。
【０００５】
従って、本発明の第１の目的は、圧縮空気源と接続が可能な注射器圧縮空気用接続具を提供することである。
【０００６】
本発明の別の目的は、一対の耳部を有する比較的剛性のある注射器圧縮空気用接続具を提供するものである。耳部は、比較的軟らかいエラストマ（ゴム状弾性体）で成形されている。
【０００７】
本発明の別の目的は、その接続具から伸びるポートを持つ比較的剛性のある注射器圧縮空気用接続具を提供するものである。
【０００８】
本発明のもたらす利益と目的は、特許請求の範囲と以下の詳細な説明から明らかになる。
【課題を解決するための手段】
【０００９】
本発明により、二つの略Ｕ字形耳部と連結した平面部を持つボディと、少なくとも一つの前記耳部の周囲を伸びる比較的軟らかい一対のパッドと、を備える注射器圧縮空気用接続具が提供される。
【発明を実施するための最良の形態】
【００１０】
図２から図６に示すように、本発明に係る注射器用圧縮空気接続具は、通常、ボディ１２、パッド１４、外側係合部１６、内側係合部１８、ボア２０、シール２２を含んでいる。ボディ１２は、ポリカーボネイトのような比較的硬い熱可塑性樹脂で成形されており、反対側に通常Ｕ字形の耳部２６と接続された平面部２４を有している。平面部２４は、剛性リブ２８を含んでいる。一方、耳部２６は、剛性ガセット３２を含んでおり、成形保持用孔３４を含んでいる。平面部２４からは、一方向側に係合部１６が、他方向側に係合部１８が伸びている。外側係合部１６は、圧縮空気用チューブとスムースに接続できるようにされており、一方、内側係合部１８は、シール２２を保持するための保持用バーブ３０を含んでいる。ボア２０は、ボディ１２の平面部２４、外側係合部１６、内側係合部１８を貫通している。パッド１４は、ボディ１２の耳部２６の少なくとも１箇所から、比較的軟らかい熱可塑性樹脂を用いて従来技術により成形されるのが好ましい。この熱可塑性樹脂は、例えば、ＧＬＳ社により市販されているＶＥＲＳＡＦＬＥＸ（登録商標）である。成形作業時に、材料は、耳部２６においてパッド１４を保持する成形保持用孔３４内へ流入する。
また、ガセット３２は、耳部２６においてパッド１４が滑るのを防止する。
【００１１】
図１に示すように、注射器３６は、通常楕円形フランジ３８を含んでいる。注射器用圧縮空気接続具１０は、ボディ１２の耳部２６の間にフランジ３８の狭い幅の側を配置されて、注射器３６に取付けられている。その結果、シール２２は、注射器３６の開放端に挿入されて、注射器３６の開放端はシールされる。注射器用圧縮空気接続具１０を回動させることにより、注射器３６の開放端をシールしながら、フランジ３８を複数の耳部２６と平面部２４との間で拘束する。それから、圧縮空気は、外側係合部１６、ボア２０、内側係合部１８を通過して注射器３６内へ導入される。比較的広い平面部２４と比較的軟らかいパッド１４と一緒の耳部２６とにより、フランジ３８を横切る空気圧力を分担するのを助ける。これにより、注射器３６が空気圧力を受けた時、フランジ３８が破損するのを防止することができる。パッド１４は、応力点を形成するいかなる異常事態をも収容することができる。
【００１２】
この記載は、例示と説明のためになされた。当業者により、本発明の範囲と思想を離れることなく変形例が形成されることは、明らかである。
【図面の簡単な説明】
【００１３】
【図１】注射器を想像線で示した本発明に係る注射器用圧縮空気接続具の斜視図である。
【図２】本発明に係る注射器用圧縮空気接続具の斜め左上方より視た図である。
【図３】本発明に係る注射器用圧縮空気接続具の斜め左下方より視た図である。
【図４】本発明に係る注射器用圧縮空気接続具の斜め右前方より視た図である。
【図５】本発明に係る注射器用圧縮空気接続具の斜め左下方より視た図である。
【図６】注射器を想像線で示し、注射器に圧縮空気接続具が取付けられている状態を示した本発明に係る注射器用圧縮空気接続具の正面図である。
【図１】
2006006927.tif 000003
【図２】
2006006927.tif 000004
【図３】
2006006927.tif 000005
【図４】
2006006927.tif 000006
【図５】
2006006927.tif 000007
【図６】
2006006927.tif 000008